【手続補正書】
【提出日】平成26年7月9日(2014.7.9)
【手続補正１】
【補正対象書類名】特許請求の範囲
【補正対象項目名】全文
【補正方法】変更
【補正の内容】
【特許請求の範囲】
【請求項１】
セルロースナノ材料の骨格と、少なくとも一のポリマ樹脂から構成された複合品であって、前記セルロースナノ材料の骨格が、ナノ結晶セルロース（ＮＣＣ）、及び微小繊維セルロース（ＭＦＣ）から選択された材料であり、前記少なくとも一のポリマ樹脂が少なくとも部分的に前記骨格内の複数の細孔を満たしていることを特徴とする複合品。
【請求項２】
請求項１に記載の複合品において、前記セルロースナノ材料がＮＣＣであることを特徴とする複合品。
【請求項３】
請求項１に記載の複合品において、前記セルロースナノ材料の結晶化度が少なくとも５０％であることを特徴とする複合品。
【請求項４】
請求項１に記載の複合品において、前記セルロースナノ材料が長さが少なくとも１００ｎｍ、最大で長さ１，０００μｍ、長さ１００ｎｍ乃至１，０００μｍ、長さ１００ｎｍ乃至１，０００ｎｍ、長さ１００ｎｍ乃至９００ｎｍ、長さ１００ｎｍ乃至８００ｎｍ、長さ１００ｎｍ乃至６００ｎｍ、長さ１００ｎｍ乃至５００ｎｍ、長さ１００ｎｍ乃至４００ｎｍ、長さ１００ｎｍ乃至３００ｎｍ、又は長さ１００ｎｍ乃至２００ｎｍであるように選択されていることを特徴とする複合品。
【請求項５】
請求項１乃至４のいずれか１項に記載の複合品において、前記セルロースナノ材料の厚さが約５ｎｍ乃至約５０ｎｍであることを特徴とする複合品。
【請求項６】
請求項１乃至５のいずれか１項に記載の複合品において、前記セルロースナノ材料の粒子のアスペクト比が少なくとも１０であることを特徴とする複合品。
【請求項７】
請求項２に記載の複合品において、前記ＮＣＣが、長さ約１００ｎｍ乃至約４００ｎｍであり、厚さ約５ｎｍ乃至約３０ｎｍであることを特徴とする複合品。
【請求項８】
請求項１に記載の複合品において、前記ナノ材料が少なくとも２つのタイプのセルロースナノ材料であることを特徴とする複合品。
【請求項９】
請求項１に記載の複合品において、前記ポリマ樹脂が少なくとも一の熱硬化性ポリマ、及び／又は、少なくとも一の熱可塑性ポリマであることを特徴とする複合品。
【請求項１０】
請求項１に記載の複合品において、前記ポリマ樹脂が、熱硬化性シリコーンポリマ、シリコーンゲル、及びシリコーン樹脂から選択された少なくとも一の熱硬化性ポリマ樹脂であり、熱硬化性有機ポリマ、エポキシ樹脂、アミノ樹脂、ポリウレタン、ポリイミド、フェノール樹脂、シアネートエーテル樹脂、ビスマレイミド樹脂、ポリエステル、アクリル樹脂、及びこれらの混合物であることを特徴とする複合品。
【請求項１１】
請求項９に記載の複合品において、前記少なくとも一のポリマがバイオベースであることを特徴とする複合品。
【請求項１２】
請求項１に記載の複合品において、前記少なくとも一の熱硬化性樹脂がフラン樹脂であることを特徴とする複合品。
【請求項１３】
請求項１に記載の複合品において、前記少なくとも一のポリマ樹脂が、少なくとも一の熱可塑性樹脂であることを特徴とする複合品。
【請求項１４】
請求項１２に記載の複合品において、前記熱可塑性樹脂が、ポリオレフィン、極性熱可塑性物質、ポリスチレン、ポリビニルクロリド（ＰＶＣ）、アクリロニトリル−ブタジエン−スチレン（ＡＢＳ）、スチレンコポリマ、ポリアクリロニトリル、ポリアクリレート、ポリアクリルアミド、ビニルアセテートポリマ、ビニルアルコールポリマ、セルロースプラスチック、熱可塑性エラストマ、熱可塑性ポリウレタン、ポリエステルベースの熱可塑性エラストマ、熱可塑性ポリエステル、ポリエチレンテレフタレート、ポリブチレンテレフタレート、相溶性熱可塑性物質ブレンド、ポリアセタール、ポリエーテル、ポリアクリレート、ポリカーボネート、ポリアミド、ポリイミド、ポリベンジミダゾール、芳香性ポリヒドラジド及びポリオキサジアゾール、ポリフェニルキノキサリン、ポリフェニレン硫化物、ポリフェニレンビニレン、導電熱可塑性物質、導電熱可塑性複合体、ポリ（アリルエーテルスルホン）、ポリ（アリルエーテルケトン）、ポリ（アリルエーテルケトン−コ−スルホン）、ポリ（アリルエーテルケトンアミド）、ポリテトラフルオロエチレン、及びこれらの混合物から選択されることを特徴とする複合品。
【請求項１５】
請求項１に記載の複合品において、当該複合品中の前記セルロース：ポリマの重量比が、約１：１００乃至約１００：１であることを特徴とする複合品。
【請求項１６】
請求項１５に記載の複合品において、重量比が１：９０、又は１：８０、又は１：７０、又は１：６０、又は１：５０、又は１：４０、又は１：３０、又は１：２０、又は１：１０のセルロース−ナノ材料対ポリマであることを特徴とする複合品。
【請求項１７】
（ａ）セルロースナノ材料の骨格を取得するステップと；
（ｂ）少なくとも一のポリマの液状樹脂を前記骨格に融合させるステップと；
（ｃ）ステップ（ｂ）の製品を硬化させて、前記骨格中で部分的又は完全に硬化した樹脂を取得するステップと；
を具えるプロセスで製造された請求項１に記載の複合品。
【請求項１８】
請求項１７に記載の複合品において、前記プロセスが更に、前記樹脂を融合させる前に、前記セルロースナノ材料を架橋するステップを具えることを特徴とする複合品。
【請求項１９】
請求項１７に記載の複合品において、前記骨格がＮＣＣ又はＮＣＣと、ＭＦＣの混合物を含むことを特徴とする複合品。
【請求項２０】
請求項１７に記載の複合品において、前記硬化させるステップが、約１℃乃至約８０℃、又は室温、又は約５０℃乃至約２００℃の温度で実行できることを特徴とする複合品。
【請求項２１】
請求項１に記載の複合品において、前記骨格材料及び／又は前記ポリマが、ＴｉＯ２ナノ粒子、銀ナノ粒子、及び粘土ナノ粒子から選択したナノ粒子を含むことを特徴とする複合品。
【請求項２２】
請求項１乃至１７のいずれか１項に記載の複合品において、前記セルロースナノ材料骨格が：
（ａ）水性媒体中のセルロースナノ粒子の懸濁液を提供するステップと；
（ｂ）前記懸濁液を冷凍するステップと；
（ｃ）溶媒交換を行って前記冷凍した懸濁液を処理して、溶媒を湿潤させ、実質的に水を含まない骨格とするステップと；
（ｄ）前記溶媒を除去して、実質的に溶媒と水を含まないセルロース骨格とするステップと；
によって作成することを特徴とする複合品。
【請求項２３】
請求項２２に記載の複合品において、前記セルロースナノ材料がＮＣＣであることを特徴とする複合品。
【請求項２４】
請求項２２に記載の複合品において、前記懸濁液が水性懸濁液であり、前記ナノ材料濃度が約５０％（ｗ/ｖ）以下であることを特徴とする複合品。
【請求項２５】
請求項２２に記載の複合品において、前記懸濁液が水性懸濁液であり、前記ナノ材料濃度が約１％（ｗ/ｖ）以下であることを特徴とする複合品。
【請求項２６】
請求項２２に記載の複合品において、前記ナノ材料濃度が約１％乃至約５％、又は約１％乃至約２．５％であることを特徴とする複合品。
【請求項２７】
請求項２２に記載の複合品において、前記ナノ材料濃度が約２．５％（ｗ/ｖ）以下であることを特徴とする複合品。
【請求項２８】
請求項２２に記載の複合品において、冷凍するステップが０℃以下、−５０℃乃至−９０℃、−６０℃乃至−８０℃、又は−７０℃の温度で行われることを特徴とする複合品。
【請求項２９】
請求項２２に記載の複合品において、前記溶媒交換が、前記フォームを水溶性溶媒で、又は水性塩溶液で処理するステップと、前記フォームに含まれる水がほぼ除去されるまでこの処理を繰り返すステップと、を具えることを特徴とする複合品。
【請求項３０】
請求項２９に記載の複合品において、前記溶媒交換が更に、前記フォームを低水溶性溶媒で処理するステップを具えることを特徴とする複合品。
【請求項３１】
（ａ）水性媒体中のセルロースナノ材料懸濁液を取得するステップと；
（ｂ）前記懸濁液を冷凍して、冷凍水性セルロースナノ材料懸濁液とするステップと；
（ｃ）溶媒交換を行って前記冷凍した懸濁液を処理して、溶媒を飽和させ、実質的に水を含まないフォームとするステップと；
（ｄ）前記溶媒を除去して、実質的に溶媒と水を含まないセルロースフォームとするステップと；
によって作成することを特徴とするセルロースナノ材料フォーム。
【請求項３２】
請求項３１に記載のフォームにおいて、前記セルロースナノ材料がＮＣＣであることを特徴とするフォーム。
【請求項３３】
セルロースナノ材料骨格と、少なくとも一のポリマ樹脂とで構成された複合品において、前記セルロースナノ材料骨格が、互いに連結されており相互ネットワークを形成する細孔を含む複数の開気泡構造を有しており、前記細孔が少なくとも部分的に前記少なくとも一のポリマ樹脂で満たされており、前記セルロースナノ材料が請求項１に規定される材料であることを特徴とする、複合品。
【請求項３４】
セルロースナノ材料骨格と、少なくとも一の硬化ポリマとで構成された複合品において、前記セルロースナノ材料骨格が、互いに連結されており相互ネットワークを形成する細孔を含む複数の開気泡構造を有しており、前記細孔が少なくとも部分的に前記少なくとも一の硬化ポリマで満たされており、前記セルロースナノ材料が請求項１に規定される材料であることを特徴とする、複合品。